(57)【要約】      （修正有）【課題】クリップの機能に名札、カード立ての機能を追加して一体化することにより、内容の識別しやすい名札、カード立てとして使用でき、クリップの紛失を防止する役割も果たす名札、カード立て機能付クリップを提供する。【解決手段】クリップ本体１の装飾部２もしくは、留め具５の上部に切り込み４を１ヶ所又は、複数設けることによりカード類を差し込め、立てられるようにする。また、その切り込み4はクリップ本体１を水平面に設置したときに垂直面に対し、傾斜して設ける。更に、クリップ本体１の装飾部２に文字、模様、写真、色等の図柄３を入れる。以上のことにより、識別のしやすい名札、カード立てとして使用でき、クリップの紛失防止にも役立つ。【選択図】図１
0003143779.tif 000002
【実用新案登録請求の範囲】
【請求項１】
クリップ本体もしくは、装飾部の上部に切り込みを1ヶ所又は、複数設けられている名札、カード立て機能付クリップ。
【請求項２】
前記切り込みがクリップを水平面に設置したときに垂直面に対して傾斜が設けられていることを特徴とする前項1記載の名札、カード立て機能付クリップ。
【請求項３】
装飾部に文字、模様、写真、色等の装飾を入れることを特徴とする、請求項1又は請求項2の名札、カード立て機能付クリップ。
【考案の詳細な説明】
【技術分野】
【０００１】
本考案は、挟んで留め置くための器具でありながら、名刺、写真などのカード状の物を立てられるよう切り込みを設けた、名札、カード立て機能付のクリップに関するものである。
【背景技術】
【０００２】
従来は、紙を挟んだり、ペンをポケットに留めたり、ネクタイを留めたりするなどの機能を持ち、利用者は大きさや形状の許す範囲において様々なものを挟んだり,留めたり、固定してきたが名札やカード立てとは別のものとして使用されてきた。
【考案の開示】
【考案が解決しようとする課題】
【０００３】
クリップと名札、カード立てを別々に購入することは経済的に負担であり、クリップを使用している間はクリップのみの用途しか果たさなく、使用していない時間や期間は有効に利用されない。また、一般的なクリップは小さいものであることから紛失しやすいものである。  更に、カード立てによってはカードに記載された内容の識別が難しい場合があり、機能を果たすのみで簡素である。  従って、クリップの機能と名札、カード立ての機能を一体化することにより、紙や衣服などへの使用時だけでなく、使用時以外の有効な使用が可能となり、また、切り込みに傾斜を設け、装飾部に装飾を施すことにより、前述の欠点を解決しようとするものである。
【課題を解決するための手段】
【０００４】
本考案は以下の各項により、問題点を解決している。
(1)クリップ本体もしくは、装飾部の上部に切り込みを1ヶ所又は、複数設けることにより、名札などのカード類を差し込め、立てられるようにすること。
(2)前記切り込みはクリップを水平面に設置したときに垂直面に対し、傾斜して設けられていること。
(3)前記クリップの装飾部に文字、模様、写真、色等の装飾を入れること。
【考案の効果】
【０００５】
(1)上述のように本考案の名札、カード立て機能付クリップは、従来のクリップの使い心地や使用の容易さは勿論のこと、カード類が立てられるように装飾部もしくは、留め具の上部に切り込みを1ヶ所又は、複数箇所設けたので、クリップを紙や衣服などへの使用時に名刺等の名前の書かれたカードを差し込むことで名札として使用できる。また、使用していない時間や期間を名刺、写真等のカード類を立てられるカード立てとして有効的に使用できる。更に、クリップよりも大きいカード類を差し込み、立てることにより、目印となり、紛失防止として役立つ。  また、一対以上のクリップに一枚のカードを立てることにより安定し、装飾部が複数となることで装飾の効果が高まる。
(2)カード立てとなる切り込みが水平面に設置したときに垂直面に対して傾斜するよう設けたので、差し込むカード等に記載されている文字、絵などの模様、写真、色等の装飾が容易に識別できるようになる。
(3)差し込むカード等の文字、絵などの模様、写真、色等の装飾と同じ又は、一体感を与える装飾を設けたので、名札、カード立ての機能だけでなく、名札、カード類を際立たせる効果を持ち差別化が図れる。
【考案を実施するための最良の形態】
【０００６】
クリップは形状や素材に関わらないが、金属、合成樹脂、ガラス、布、ゴム、木、象牙、石等をプレス、カット、削り、曲げ、つなぎ等の技術を用いて成形する方法が好ましい。留め方の構造には様々な種類が可能である。例としては、ゼムクリップタイプ、目玉クリップタイプ、ターンクリップタイプ、バチクリップタイプ、マネークリップタイプ、ヘアークリップタイプ、ワニ口クリップタイプなどがあり、切り込みは素材をカットしたものや素材を折り返したようなクリップ状やプレスにより成型された物でも良い。表面加工はメッキ、塗装、蒸着、印刷、彫刻、刺繍、七宝、樹脂入れ、レーザーマーキングなどによる方法を用い、文字、模様、写真、色等の装飾を表現する。
【実施例】
【０００７】
以下、添付図面に従って実施例を説明する。
【０００８】  図1は、クリップ本体の実施例を示す、表から見た斜視図である。1は金属等適宜素材にて形成されたクリップ本体である。2は装飾部であり、図柄3には（公序良俗違反につき、不掲載）のロゴマークが描かれている。その図柄は限定せず、文字、模様、写真、色等の装飾を入れられる。装飾部2の上部には切り込み4を入れる。切り込みは複数設けることもできる。装飾部の裏側には留め具5を溶接した。【０００９】
図2は、図1に示すクリップ本体1を裏から見た斜視図である。留め具5の内部にはバネが仕込まれているタイプを採用した。
【００１０】
図3は、図1に示すバッジ本体1をネクタイ6に留め具5で挟み固定し、切り込み4にカード7を差し込み名札としての使用例である。
【００１１】
図4は、クリップ本体1を水平面に置き、カード7を差し込んだカード立ての使用例であり、ネームプレートとしても利用できる。切り込み4は、クリップ本体1を水平面に設置したときに垂直面に対して傾斜するよう設けたのでカード7に書かれた内容が識別しやすい。また、クリップの装飾部2には図柄3としてロゴマークが施されており、差し込むカードとして選んだものにも同じロゴマークが印刷されているので一体感を持ち、相乗効果により、良いイメージを与える。更に、カードが立てられることにより、目印となり紛失の防止に役立つ。
【産業上の利用可能性】
【００１２】
従来は、紙を挟んだり、ペンをポケットに留めたり、ネクタイを留めたりするなどの機能を持ち、利用者は大きさや形状の許す範囲において様々なものを挟んだり,留めたり、固定してきたがカード状の物を差し込むことによって利用の可能性が大きく増えることになる。本考案のクリップを利用することにより、名札のホルダーやネームプレート台の必要がなくなり、クリップの使用時に名刺などのカードを用意し差し込めば、簡単に名札兼用のクリップとなる。また、通常は使用していない時間や期間に名刺や写真等を差し込めば簡単にカード立てとして有効に利用できる。  本考案のクリップを商品として販売する際に、そのクリップを紙や衣服を留めたまま、ショップカード、商品案内カード、値札などを差し込みディスプレーすれば、PRや表示札として利用出来き、他のクリップとの差別化が一目瞭然となる。マネークリップやタイクリップはプレゼントとして購入れることも多く、プレゼントをする購入者はプレゼントを贈られる利用者に対し、より多くの機会や時間の使用を願うものである。  本考案のクリップは、利用する場所を自宅や職場など限定せず、いつでもどこでも使用でき、プレゼントする者は、写真やメッセージカードなどと一緒に贈れば、利用者はクリップとして使用しなくても、すぐにカード立てとして利用できる。
【図面の簡単な説明】
【００１３】
【図１】本考案の名札、カード立て機能付クリップ本体の実施例を表から見た斜視図である。
【図２】本クリップの実施例を裏から見た斜視図である。
【図３】本クリップをネクタイに留めた正面図である。
【図４】本クリップを水平面に設置し、カードを立てた状態を示す斜視図である。
【符号の説明】
【００１４】
１    クリップ本体
２    装飾部
３    図柄
４    切り込み
５    留め具
６    ネクタイ
７    カード
【図１】
0003143779.tif 000003
【図２】
0003143779.tif 000004
【図３】
0003143779.tif 000005
【図４】
0003143779.tif 000006
【手続補正書】
【提出日】平成20年6月2日(2008.6.2)
【手続補正１】
【補正対象書類名】図面
【補正対象項目名】全図
【補正方法】変更
【補正の内容】
【図１】
0003143779.tif 000007
【図２】
0003143779.tif 000008
【図３】
0003143779.tif 000009
【図４】
0003143779.tif 000010
【手続補正２】
【補正対象書類名】明細書
【補正対象項目名】０００８
【補正方法】変更
【補正の内容】
【０００８】
図1は、クリップ本体の実施例を示す、表から見た斜視図である。1は金属等適宜素材にて形成されたクリップ本体である。2は装飾部であり、図柄3にはAのロゴマークが描かれている。その図柄は限定せず、文字、模様、写真、色等の装飾を入れられる。装飾部2の上部には切り込み4を入れる。切り込みは複数設けることもできる。装飾部の裏側には留め具5を溶接した。